(57)【特許請求の範囲】
【請求項１】
前板と後板と一対の側板とからなる胴部と、胴部の上部に設けられ、後板との境界の折線をヒンジ部として回動することにより前板と側板の一部に覆い被さる蓋部と、胴部の下部を閉じてなる底部とからなるフリップトップ型カートンであって、蓋部は、後板の上辺に連設した連結板と、前板との間で折り返された前方繋ぎ片を介して連設された蓋部前板と、蓋部前板の上辺に連設された蓋部天板と、蓋部前板に連設するとともに各側板との間で折り返された側方繋ぎ片を介して連設された一対の蓋部側板と、それらの蓋部側板の上辺にそれぞれ連設された折曲げ板とで構成されており、前方繋ぎ片にはジッパーが横断状態で形成されるとともに、側方繋ぎ片と側板との連設部分にはミシン目線が形成されており、前方繋ぎ片はジッパーより蓋部前板寄りの部分で蓋部前板と貼り合わせられ、側方繋ぎ片は蓋部側板と貼り合わせられており、連結板には一対の係り片が切込により区画されており、これらの係り片が、各折曲げ板に設けた細孔にそれぞれ引っ掛かって係止することで折曲げ板の上に連結板が重ね合わせられ、蓋部天板にはその先端に係止片が突設されており、この係止片が、後板と連結板の境界に形成したスリットに差し込まれて係止することで連結板の上に蓋部天板が重ね合わせられていることを特徴とするフリップトップ型カートン。
【発明の詳細な説明】
【技術分野】
【０００１】
本発明は、板紙からなるカートンの技術分野に属し、詳しくは、ヒンジによって回動する蓋部を有するフリップトップ型カートンに関する。
【背景技術】
【０００２】
従来より、一枚の板紙からなるブランクを組み立てて形成される種々のカートンが利用されているが、開封した後で再封が可能なものとして、ヒンジによって回動する蓋部を有する所謂フリップトップ型カートンが知られている。その中でも、蓋部と本体が一体となった構造で、蓋部をヒンジのところで回動するようにして引き上げるとはじめて封が切れるようになった所謂フリップトップ型カートンがあり、このカートンは、開封後に蓋部を前方に倒して閉めたときに、蓋部の裏側において切断された折返し片が引っ掛かることにより、軽快な音がして何回でも開閉自在であるという利点を有している。
【先行技術文献】
【特許文献】
【０００３】
【特許文献１】実開昭５０−６７０１５号公報
【特許文献２】特開平１１−７９２４２号公報
【発明の概要】
【発明が解決しようとする課題】
【０００４】
上記したフリップトップ型カートンは、蓋部側板に連設するダストフラップが蓋部天板の裏側に接着固定されることで蓋部が形成されている。この固定のためには、両面テープや糊（ホットメルト）を用いて貼着することになるが、人手でしっかりと圧着するにはかなり困難であることから、一般的にはシールエンド対応の自動充填機が使用される。しかし、昨今の少量多品種が求められる状況下では、相当量の生産が見込まれなければ高価な自動充填機を導入することは殆どなくなってきている。
【０００５】
本発明は、上記のような問題に鑑みてなされたものであり、その目的とするところは、蓋部を手作業で簡単に形成することができるようにし、それによって自動充填機を使用することなく、両面テープや糊などの接着剤を使用せずに人手による作業で組立ができるようにしたフリップトップ型カートンを提供することにある。
【課題を解決するための手段】
【０００６】
上記の目的を達成するため、本発明のフリップトップ型カートンは、前板と後板と一対の側板とからなる胴部と、胴部の上部に設けられ、後板との境界の折線をヒンジ部として回動することにより前板と側板の一部に覆い被さる蓋部と、胴部の下部を閉じてなる底部とからなるフリップトップ型カートンであって、蓋部は、後板の上辺に連設した連結板と、前板との間で折り返された前方繋ぎ片を介して連設された蓋部前板と、蓋部前板の上辺に連設された蓋部天板と、蓋部前板に連設するとともに各側板との間で折り返された側方繋ぎ片を介して連設された一対の蓋部側板と、それらの蓋部側板の上辺にそれぞれ連設された折曲げ板とで構成されており、前方繋ぎ片にはジッパーが横断状態で形成されるとともに、側方繋ぎ片と側板との連設部分にはミシン目線が形成されており、前方繋ぎ片はジッパーより蓋部前板寄りの部分で蓋部前板と貼り合わせられ、側方繋ぎ片は蓋部側板と貼り合わせられており、連結板には一対の係り片が切込により区画されており、これらの係り片が、各折曲げ板に設けた細孔にそれぞれ引っ掛かって係止することで折曲げ板の上に連結板が重ね合わせられ、蓋部天板にはその先端に係止片が突設されており、この係止片が、後板と連結板の境界に形成したスリットに差し込まれて係止することで連結板の上に蓋部天板が重ね合わせられていることを特徴としている。
【発明の効果】
【０００７】
本発明のフリップトップ型カートンは、糊付けを行わずに蓋部を手作業で簡単に組み立てて形成することができるので、自動充填機を使用することなく、人手による作業で組立ができることから、高価な自動充填機を導入することなく、少量多品種の注文に対応することができる。
【図面の簡単な説明】
【０００８】
【図１】本発明に係るフリップトップ型カートンの一例を示す示す斜視図である。
【図２】図１のフリップトップ型カートンを開けた状態で示す斜視図である。
【図３】図１のフリップトップ型カートンを形成するブランクの展開図である。
【図４】図１のフリップトップ型カートンの組立途中の状態を示す説明図である。
【図５】図４に続く組立途中の説明図である。
【図６】図５に続く組立途中の説明図である。
【発明を実施するための形態】
【０００９】
次に、本発明の実施の形態について図面を参照しながら詳細に説明する。
【００１０】
図１に示すフリップトップ型カートンＣは四角筒状の胴部とフリップトップ型の蓋部が一体となったもので、図３に展開図を示すブランクを組み立てて形成される。
【００１１】
ブランクＢは、板紙を打ち抜いて形成された一枚もので、図３に示すように、胴部を形成する糊代フラップ１１、後板１２、側板１３、前板１４、側板１５が折線ａ，ｂ，ｃ，ｄを介してこの順で連設されており、そのうちの後板１２、側板１３、前板１４、側板１５の上部に蓋部を形成する部分が連設されている。
【００１２】
前板１４の上部には、リード罫αと折線ｅ，ｆを介して前方繋ぎ片２１、蓋部前板２２、蓋部天板２３がこの順で連設されている。また、側板１３の上部には、ミシン目線βを介して側方繋ぎ片２４が連設され、この側方繋ぎ片２４の上部には、蓋部側板２５、折曲げ板２６が折線ｇ，ｈを介してこの順で連設されており、側板１５の上部には、ミシン目線βを介して側方繋ぎ片２７が連設され、この側方繋ぎ片２７の上部には、蓋部側板２８、折曲げ板２９が折線ｉ，ｊを介してこの順で連設されている。
【００１３】
そして、蓋部前板２２とその左右の蓋部側板２５，２８はそれぞれ折線ｋ，ｌを介して連設しており、前方繋ぎ片２１とその左右の側方繋ぎ片２４，２７の間にはそれぞれ開口２１ａ，２１ｂが形成されている。これらの開口２１ａ，２１ｂは、前方繋ぎ片２１の中ほどに向けて尖った五角形状で、前方繋ぎ片２１には、その尖った先端同士を結ぶようにして、切込線を組み合わせてなるジッパーＪが前板１４寄りのところに横断状態で形成されている。
【００１４】
後板１２の上部には、蓋部天板２３より僅かに小さなサイズの連結板３０が折線ｍを介して連設されている。そして、この連結板３０には、後板１２寄りのところを横断する折線ｎが設けられ、その折線ｎの途中２箇所にＵ字状の切込によって係り片３０ａが区画されており、さらに、連結板３０と後板１２との境界にある折線ｍの途中２箇所に差込み用のスリット１２ａが形成されている。そして、折曲げ板２６，２９には、組立時に連結板３０の係り片３０ａが引っ掛かって係止するための細孔２６ａ，２９ａが設けられており、蓋部天板２３の先端には、組立時に各スリット１２ａにそれぞれ差し込まれる２つの係止片２３ａ，２３ａが折線ｏを介して突設されている。
【００１５】
また、後板１２、側板１３、前板１４、側板１５の下辺には、底部をスナップロック方式で閉鎖するためのフラップ３１，３２，３３，３４がそれぞれ折線ｐ，ｑ，ｒ，ｓを介して連設されている。
【００１６】
このブランクＢを組み立てるに際しては、最初に、前方繋ぎ片２１とその両サイドの側方繋ぎ片２４，２７の部分をその下方のリード罫αと両方のミシン目線βのところでＺ状に折り畳んでから全体をサック貼りする。すなわち、胴部の上に蓋部が重なるようにして、前方繋ぎ片２１とその両サイドの側方繋ぎ片２４，２７の部分をそれらの上下部分に対してＺ状に折り曲げ、前方繋ぎ片２１をジッパーＪより蓋部前板２２寄りの部分で蓋部前板２２と貼り合わせるとともに、側方繋ぎ片２４，２７をそれぞれ蓋部側板２５，２８と貼り合わせる。次いで、この重畳状態で、胴部を折線ｂ，ｄのところで折り曲げて糊代フラップ１１の表側を側板１５の端部裏側に貼り合わせてサック貼り状態とする。
【００１７】
このようにサック貼りしたブランクＢを充填工程では手作業にて組み立てて図１のフリップトップ型カートンＣを形成する。その手順は次のようである。
【００１８】
まず、折り畳んだブランクＢを角筒状に起こし、後板１２、側板１３、前板１４、側板１５の下辺に連設されたフラップ３１，３２，３３，３４をそれぞれ折線ｐ，ｑ，ｒ，ｓで内側方向に折り曲げ、互いに引っ掛かるようにしてから平らに戻すというスナップロック方式で閉鎖する。なお、底部の閉鎖手段としては、このスナップロック方式の他に、オートボトム方式とすることも可能である。
【００１９】
底部を閉鎖した後、上方から内容物を入れて蓋部を閉じる。具体的には、図４及び図５に示すように、折曲げ板２６，２９を内側に折り曲げてから、連結板３０を後板１２寄りの折線ｎのところで折り曲げつつ、折目の先端に突き出した２つの係り片３０ａを折曲げ板２６，２９の細孔２６ａ，２９ａにそれぞれ嵌め込み、各係り片３０ａが細孔２６ａ，２９ａに引っ掛かって係止するようにして折曲げ板２６，２９の上に連結板３０を重ねる。次いで、図６に示すように、蓋部天板２３を内側に折り曲げ、その先端にある係止片２３ａを後板１２と連結板３０の境界にあるスリット１２ａに差し込んで係止させる。これにより、図１に示すフリップトップ型カートンが組み立てられる。
【００２０】
このように本発明のフリップトップ型カートンＣは、手作業で組み立てるため、高価な自動充填機を使用する必要がない。したがって、小ロットの注文にも柔軟に対応することができる。
【００２１】
このフリップトップ型カートンＣは、蓋部前板２２の下端縁を引っ張るようにして持ち上げると、前方繋ぎ片２１を横断するジッパーＪが切断され、同時に側板１３と側方繋ぎ片２４の境界と側板１５と側方繋ぎ片２７の境界の両方にあるミシン目線βが切断されるので、後板１２と連結板３０との境界にある折線ｍのところをヒンジとして蓋部を回動することで図２に示すように開封することができる。このようにして開封されたフリップトップ型カートンＣは、前板１４の上辺に前方繋ぎ片２１の一部分が折返し状態で突き出るとともに、蓋部前板２２の裏側には前方繋ぎ片２１の一部が欠けたことによる段差が生じているので、蓋部を前に倒すと、ジッパーＪで切断された前方繋ぎ片２１が引っ掛かることによって蓋部が係止される。また、蓋部を引き上げるとこの引っ掛かりが外れることで蓋部を開けることができる。
【００２２】
以上、本発明を実施するための形態について詳細に説明してきたが、本発明によるフリップトップ型カートンは、上記の形態に何ら限定されるものではなく、本発明の趣旨を逸脱しない範囲において種々の変更が可能であることは当然のことである。
【符号の説明】
【００２３】
Ｃ  フリップトップ型カートン
１１  糊代フラップ
１２  後板
１２ａ  スリット
１３  側板
１４  前板
１５  側板
２１  前方繋ぎ片
２１ａ，２１ｂ  開口
２２  蓋部前板
２３  蓋部天板
２３ａ  係止片
２４  側方繋ぎ片
２５  蓋部側板
２６  折曲げ板
２６ａ  細孔
２７  側方繋ぎ片
２８  蓋部側板
２９  折曲げ板
２９ａ  細孔
３０  連結板
３０ａ  係り片
３１，３２，３３，３４  フラップ
α  リード罫
β  ミシン目線
ａ〜ｓ  折線
【図１】
0005429617.tif 000002
【図２】
0005429617.tif 000003
【図３】
0005429617.tif 000004
【図４】
0005429617.tif 000005
【図５】
0005429617.tif 000006
【図６】
0005429617.tif 000007